(57)【要約】【課題】繰り返し使用可能であると共に、射精に至る刺激を自分自身でコントロールしやすい男性器用マッサージ具を提供すること。【解決手段】手袋型の男性器用マッサージ具であって、使用者の手首から指の先までを覆う手袋本体と、手袋本体の掌側表面に固着する伸縮性軟質合成樹脂と、からなり、手袋本体は、五指部と、四指基底部と、拇指球部と、小指球部と、手首覆部と、を備えており、伸縮性軟質合成樹脂は、手袋本体の五指部の指先から付け根にかけてと、四指基底部と、拇指球部と、小指球部と、に相当する部位の掌側表面に、３〜１０ｍｍ程度の厚みを持って固着していることを特徴とする、男性器用マッサージ具。【選択図】図１
2017118922.tif 000002
【特許請求の範囲】
【請求項１】
手袋型の男性器用マッサージ具であって、
使用者の手首から指の先までを覆う手袋本体と、該手袋本体の掌側表面に固着する伸縮性軟質合成樹脂と、からなり、
前記手袋本体は、五指部と、四指基底部と、拇指球部と、小指球部と、手首覆部と、を備えており、
前記伸縮性軟質合成樹脂は、前記手袋本体の前記五指部の指先から付け根にかけてと、前記四指基底部と、前記拇指球部と、前記小指球部と、に相当する部位の掌側表面に、３〜１０ｍｍ程度の厚みを持って固着していることを特徴とする、男性器用マッサージ具。
【請求項２】
前記伸縮性軟質合成樹脂は、その表面には、ひだ状、縞状、微細な凹凸状、渦巻状、からなる群より選択される１種又は２種以上の女性器内部構造を模した形状が形成されていることを特徴とする、請求項１記載の男性器用マッサージ具。
【発明の詳細な説明】
【技術分野】
【０００１】
本発明は、男性器用マッサージ具に関するものである。
【背景技術】
【０００２】
従来、いわゆるジョークグッズとして販売されている男性器用マッサージ具は、性感の増幅を主な目的としており、近年では、下記のような男性器用マッサージ具が提案されている。
【０００３】
特許文献１では、蛇腹構造の樹脂製外筒の内部に該外筒の一方開口を封止して中心軸に沿って男性器が挿入可能な柔軟なエラストマの内筒を挿通すると共に、前記内筒の先端側には前記外筒の他方開口の口縁を弁座として弾性的に着座する弁体部を備え、前記外筒の伸長と連動して前記内筒の弁体部を前記弁座から離脱可能としたことを特徴とした男性器用マッサージ具が提案されている。
【先行技術文献】
【特許文献】
【０００４】
【特許文献１】特許第５２０６７８９号公報
【発明の概要】
【発明が解決しようとする課題】
【０００５】
しかしながら、前記特許文献１で提案されるような男性器用マッサージ具は、外筒の一方開口を封止して使用し、射精に至るものであるため、射精後にはマッサージ具内部に精液が溜りやすく、衛生的な観点から、何度も繰り返し使用したりすることが難しく、また、男性器が挿入可能な柔軟なエラストマの内筒の形状は決まっているので、射精に至る刺激を自分自身でコントロールしたりすることが難しいものであった。
【０００６】
本発明は上記実情を考慮したもので、その解決課題は、繰り返し使用可能であると共に、射精に至る刺激を自分自身でコントロールしやすい男性器用マッサージ具を提供することである。
【課題を解決するための手段】
【０００７】
前記の課題を解決するための本発明は、手袋型の男性器用マッサージ具であって、使用者の手首から指の先までを覆う手袋本体と、該手袋本体の掌側表面に固着する伸縮性軟質合成樹脂と、からなり、前記手袋本体は、五指部と、四指基底部と、拇指球部と、小指球部と、手首覆部と、を備えており、前記伸縮性軟質合成樹脂は、前記手袋本体の前記五指部の指先から付け根にかけてと、前記四指基底部と、前記拇指球部と、前記小指球部と、に相当する部位の掌側表面に、３〜１０ｍｍ程度の厚みを持って固着していることを特徴とする。
【０００８】
そして、前記伸縮性軟質合成樹脂は、その表面には、ひだ状、縞状、微細な凹凸状、渦巻状、からなる群より選択される１種又は２種以上の女性器内部構造を模した形状が形成されていることが好ましい。
【発明の効果】
【０００９】
本発明のような構成であれば、手袋型の男性器用マッサージ具の掌側に固着する伸縮性軟質合成樹脂によって男性器を包み込み、刺激を与えることで射精に至り、使用後には男性器の包み込みを解除する、言い換えるならば、本発明による男性器用マッサージ具を拡げることで、容易に洗浄することが可能なので、衛生的な観点から見て、繰り返し使用しやすい。また、手袋型の男性器用マッサージ具であり、手袋本体の五指部の指先から付け根にかけてと、四指基底部と、拇指球部及び小指球部に相当する部位の掌側表面に、３〜１０ｍｍの厚みを持って、伸縮性軟質合成樹脂がそれぞれ固着しているため、様々な握り方で男性器を包み込み、射精に至る刺激を与えることができる。そのため、射精に至る刺激を自分自身でコントロールしやすい。
【００１０】
そして、前記伸縮性軟質合成樹脂は、その表面には、ひだ状、縞状、微細な凹凸状、渦巻状、からなる群より選択される１種又は２種以上の女性器内部構造を模した形状が形成されている構成であれば、男性器に与える刺激のバリエーションを増やすことができるため、射精に至る刺激を自分自身で更にコントロールしやすくなる。
【図面の簡単な説明】
【００１１】
【図１】（イ）図は、本発明による男性器用マッサージ具を掌側から見た平面図、（ロ）図は、（イ）図のＸ−Ｘ線断面図である。
【図２】本発明による男性器用マッサージ具の手袋本体を掌側から見た平面図である。
【発明を実施するための形態】
【００１２】
以下、この発明の実施の形態を図１、図２を参照して詳細に説明する。まず、本発明による男性器用マッサージ具は、図１（イ）、（ロ）に示すように、手袋型の男性器用マッサージ具であって、手袋本体１０と、伸縮性軟質合成樹脂２０と、からなる。
【００１３】
手袋本体１０は、使用者の手首から五指の先までを覆うものであって、手袋本体１０は、図２に示すように、拇指部１１ａと、示指部１１ｂと、中指部１１ｃと、環指部１１ｄと、小指部１１ｅと、からなる五指部１１と、四指基底部１６と、拇指球部１７と、小指球部１８と、手首覆部１９と、を備えている。そして、手袋本体１０の素材としては、綿やウール・ポリエステル・ナイロン・アクリル繊維の布など、様々な素材を用いることができる。なお、手袋本体１０の部位ごとに素材を変えても、手袋本体１０全体で素材を統一してもよい。
【００１４】
拇指部１１ａは、使用者の拇指、所謂親指の指先から根元にかけて収容可能な袋部である。そして、拇指部１１ａは、示指部１１ｂとは所謂マチと呼ばれる部位によって連続すると共に、下端は四指基底部１６と、拇指球部１７と連続するものである。
【００１５】
示指部１１ｂは、使用者の示指、所謂人差し指の指先から根元にかけて収容可能な袋部である。そして、示指部１１ｂは、拇指部１１ａ及び中指部１１ｃとは所謂マチと呼ばれる部位によって連続すると共に、下端は四指基底部１６と連続するものである。
【００１６】
中指部１１ｃは、使用者の中指の指先から根元にかけて収容可能な袋部である。そして、中指部１１ｃは、示指部１１ｂ及び環指部１１ｄとは所謂マチと呼ばれる部位によって連続すると共に、下端は四指基底部１６と連続するものである。
【００１７】
環指部１１ｄは、使用者の環指、所謂薬指の指先から根元にかけて収容可能な袋部である。そして、環指部１１ｄは、中指部１１ｃ及び小指部１１ｅとは所謂マチと呼ばれる部位によって連続すると共に、下端は四指基底部１６と連続するものである。
【００１８】
小指部１１ｅは、使用者の小指の指先から根元にかけて収容可能な袋部である。そして、小指部１１ｅは、環指部１１ｄとは所謂マチと呼ばれる部位によって連続すると共に、下端は小指球部１８及び四指基底部１６と連続するものである。
【００１９】
四指基底部１６は、その上端において、上記した示指部１１ｂと、中指部１１ｃと、環指部１１ｄと、小指部１１ｅと連続するものであって、使用者の拇指を除く四指の基底を覆うものである。そして、その下端においては、拇指球部１７と小指球部１８と連続するものである。
【００２０】
拇指球部１７は、使用者の拇指の基底、言いかえるならば、親指の付け根のふくらんだ部分を覆うものである。そして、拇指球部１７は、その上端において、拇指部１１ａ、及び、四指基底部１６と連続するものである。そして、拇指球部１７は、その下端において、手首覆部１９と連続するものである。
【００２１】
小指球部１８は、使用者の小指の基底、言い換えるならば、小指の付け根部分のふくらんだ部分を覆うものである。そして、小指球部１８は、その上端において、小指部１１ｅ、及び、四指基底部１６と連続するものである。そして、小指球部１８は、その下端において、手首覆部１９と連続するものである。
【００２２】
手首覆部１９は、使用者の手首を覆うものである。なお、この手首覆部１９は、使用者の手首だけではなく、肘まで覆うものであってもよい。
【００２３】
伸縮性軟質合成樹脂２０は、図１に示すように、手袋本体１０の掌側における五指部１１の指先から付け根にかけてと、四指基底部１６と、拇指球部１７及び小指球部１８と、に相当する部位表面に、接着剤等を用いて、固着するものである。そして、本発明の男性器用マッサージ具を使用する際には、この伸縮性軟質合成樹脂２０が男性器に接触し、射精に至る刺激を与えるものである。
【００２４】
なお、本実施例では、伸縮性軟質合成樹脂２０のうち、手袋本体１０の拇指部１１ａの掌側表面に固着するものを拇指固着部材２１、手袋本体１０の示指部１１ｂの掌側表面に固着するものを示指固着部材２２、手袋本体１０の中指部１１ｃの掌側表面に固着するものを中指固着部材２３、手袋本体１０の環指部１１ｄの掌側表面に固着するものを環指固着部材２４、手袋本体１０の小指部１１ｅの掌側表面に固着するものを小指固着部材２５、手袋本体１０の四指基底部１６の掌側表面に固着するものを四指基底固着部材２６、そして、手袋本体１０の拇指球部１７及び小指球部１８の掌側表面に固着するものを拇指球小指球固着部材２７としている。そして、伸縮性軟質合成樹脂２０のそれぞれ（拇指固着部材２１、示指固着部材２２、中指固着部材２３、環指固着部材２４、小指固着部材２５、四指基底固着部材２６、及び拇指球小指球固着部材２７）がそれぞれ独立し、互いの間に隙間があることで、使用者が本発明の男性器用マッサージ具を装着した際に、こぶしを握り込みやすく、男性器を包みこむことが容易な構成となっていることが望ましいが、拇指固着部材２１、示指固着部材２２、中指固着部材２３、環指固着部材２４、小指固着部材２５、四指基底固着部材２６、拇指球小指球固着部材２７のそれぞれが、他の固着部材と一体化していてもよく、すべての伸縮性軟質合成樹脂２０が一体化していてもよい。
【００２５】
そして、使用時の快感の観点からすると、伸縮性軟質合成樹脂２０の厚みとしては、３〜１０ｍｍ程度の厚みを有することが好ましい。
【００２６】
そして、伸縮性軟質合成樹脂２０の素材としては、シリコーン樹脂、フェノール樹脂、メラミン樹脂、不飽和ポリエステル樹脂、エポキシ樹脂、シリコーン等の珪素樹脂、ポリウレタン樹脂等が望ましい。また、これ以外に、未加硫・半加硫ないし加硫されたポリスチレン系、ポリオレフィン系、ポリブタジエン系、ポリエステル系、ニトリルゴム、ポリクロロプレン、ポリウレタンゴム等を挙げることが可能であり、ポリエチレン、ナイロン、ポリ塩化ビニル、ポリプロピレン、ポリエステル、ポリアミド等を挙げることも可能である。
【００２７】
なお、伸縮性軟質合成樹脂２０の表面、言い換えるならば、手袋本体１０と固着する部分ではなく、使用時に男性器に刺激を与える部分は、ひだ状、縞状、所謂かずのこ状と呼ばれる微細な凹凸状、渦巻状、からなる群より選択される１種又は２種以上の女性器内部構造を模した形状が形成されているものが好ましい。このことによって、使用者は、男性器に与える刺激のバリエーションを増やすことができるため、射精に至る刺激を自分自身で更にコントロールしやすくなる。
【００２８】
上記に説明するような本発明の男性器用マッサージ具は、以下のように使用する。まず、伸縮性軟質合成樹脂２０にローション等の潤滑剤を塗布する。そして、本発明の男性器用マッサージ具によって、男性器を包み込み、射精に至る刺激を与える。なお、この際には、手袋本体１０の掌側における五指部１１の指先から付け根にかけてと、四指基底部１６と、拇指球部１７及び小指球部１８と、に相当する部位表面に、それぞれ固着するもの、すなわち、拇指固着部材２１、示指固着部材２２、中指固着部材２３、環指固着部材２４、小指固着部材２５、四指基底固着部材２６、拇指球小指球固着部材２７の全てを用いてもよいし、一部を用いてもよい。そして、射精後には、男性器を包みこんでいる状態を解除、言い換えるならば、本発明による男性器用マッサージ具を拡げることで、容易に洗浄可能な状態となり、射精した精液を簡単に除去し、清潔に保つ。
【００２９】
なお、本発明の男性器用マッサージ具は、上記実施形態に限定されるものではなく、その趣旨を逸脱しない範囲において適宜変更可能である。例えば、伸縮性軟質合成樹脂２０の表面構造は、部位によって異なるものであってもよい。また、図では、右手に装着する男性器用マッサージ具として示してあるが、左手に装着するものであってもよい。
【符号の説明】
【００３０】
１０    手袋本体
１１    五指部
１１ａ  拇指部
１１ｂ  示指部
１１ｃ  中指部
１１ｄ  環指部
１１ｅ  小指部
１６    四指基底部
１７    拇指球部
１８    小指球部
１９    手首覆部
２０    伸縮性軟質合成樹脂
２１    拇指固着部材
２２    示指固着部材
２３    中指固着部材
２４    環指固着部材
２５    小指固着部材
２６    四指基底固着部材
２７    拇指球小指球固着部材
【図１】
2017118922.tif 000003
【図２】
2017118922.tif 000004
【手続補正書】
【提出日】平成28年11月30日(2016.11.30)
【手続補正１】
【補正対象書類名】特許請求の範囲
【補正対象項目名】請求項１
【補正方法】変更
【補正の内容】
【請求項１】
手袋型の男性器用マッサージ具であって、
使用者の手首から指の先までを覆う手袋本体（１０）と、該手袋本体（１０）の掌側表面に固着する伸縮性軟質合成樹脂（２０）と、からなり、
前記手袋本体（１０）は、五指部（１１）と、四指基底部（１６）と、拇指球部（１７）と、小指球部（１８）と、手首覆部（１９）と、を備えており、
前記五指部（１１）は、拇指部（１１ａ）と、示指部（１１ｂ）と、中指部（１１ｃ）と、環指部（１１ｄ）と、小指部（１１ｅ）と、で構成され、
前記伸縮性軟質合成樹脂（２０）は、前記拇指部（１１ａ）の先端から付け根までを覆う拇指固着部材（２１）と、前記示指部（１１ｂ）の先端から付け根までを覆う示指固着部材（２２）と、前記中指部（１１ｃ）の先端から付け根までを覆う中指固着部材（２３）と、前記環指部（１１ｄ）の先端から付け根までを覆う環指固着部材（２４）と、前記小指部（１１ｅ）の先端から付け根までを覆う小指固着部材（２５）と、前記四指基底部（１６）を覆う四指基底固着部材（２６）と、前記拇指球部（１７）および前記小指球部（１８）が一体化した領域を覆う拇指球小指球固着部材（２７）と、を独立して配置したもので、
当該各部材（２１乃至２７）同士の境界には隙間を設けて前記手袋本体（１０）を露出させてあり、且つ当該各部材（２１乃至２７）は、３〜１０ｍｍ程度の厚さを有する台地状に形成してあることを特徴とする、男性器用マッサージ具。
【手続補正２】
【補正対象書類名】明細書
【補正対象項目名】０００７
【補正方法】変更
【補正の内容】
【０００７】
前記の課題を解決するための本発明は、手袋型の男性器用マッサージ具であって、使用者の手首から指の先までを覆う手袋本体と、該手袋本体の掌側表面に固着する伸縮性軟質合成樹脂と、からなり、前記手袋本体は、五指部と、四指基底部と、拇指球部と、小指球部と、手首覆部と、を備えており、前記五指部は、拇指部と、示指部と、中指部と、環指部と、小指部と、で構成され、前記伸縮性軟質合成樹脂は、前記拇指部の先端から付け根までを覆う拇指固着部材と、前記示指部の先端から付け根までを覆う示指固着部材と、前記中指部の先端から付け根までを覆う中指固着部材と、前記環指部の先端から付け根までを覆う環指固着部材と、前記小指部の先端から付け根までを覆う小指固着部材と、前記四指基底部を覆う四指基底固着部材と、前記拇指球部および前記小指球部が一体化した領域を覆う拇指球小指球固着部材と、を独立して配置したもので、当該各部材同士の境界には隙間を設けて前記手袋本体を露出させてあり、且つ当該各部材は、３〜１０ｍｍ程度の厚さを有する台地状に形成してあることを特徴とする。
【手続補正３】
【補正対象書類名】明細書
【補正対象項目名】００２４
【補正方法】変更
【補正の内容】
【００２４】
なお、本実施例では、伸縮性軟質合成樹脂２０のうち、手袋本体１０の拇指部１１ａの掌側表面に固着するものを拇指固着部材２１、手袋本体１０の示指部１１ｂの掌側表面に固着するものを示指固着部材２２、手袋本体１０の中指部１１ｃの掌側表面に固着するものを中指固着部材２３、手袋本体１０の環指部１１ｄの掌側表面に固着するものを環指固着部材２４、手袋本体１０の小指部１１ｅの掌側表面に固着するものを小指固着部材２５、手袋本体１０の四指基底部１６の掌側表面に固着するものを四指基底固着部材２６、そして、手袋本体１０の拇指球部１７及び小指球部１８の掌側表面に固着するものを拇指球小指球固着部材２７としている。そして、伸縮性軟質合成樹脂２０のそれぞれ（拇指固着部材２１、示指固着部材２２、中指固着部材２３、環指固着部材２４、小指固着部材２５、四指基底固着部材２６、及び拇指球小指球固着部材２７）が独立し、互いの間に隙間があることで、使用者が本発明の男性器用マッサージ具を装着した際に、こぶしを握り込みやすく、男性器を包みこむことが容易な構成となっている。